(57)【要約】      （修正有） 【課題】濾過性バッグ本体がカップの中に入り込みやすいようにして、被抽出物からの抽出が効率的に行える嗜好性飲料抽出用バッグを提供する。【解決手段】この抽出用バッグは、上端に開口部を有する濾過性バッグ本体１と、バッグ本体１の上側表裏面に貼着された、バッグ本体１の横幅よりも狭い横幅を持つ一対の略四辺形の支持シート２ａを具備する。各支持シート２ａは、バッグ本体１に貼着された貼着部位７ａと、バッグ本体１の表裏面に貼着されずバッグ本体１から引き起こしうる略「山」の字状の係止部３ａとを有する。略「山」の字の真ん中の「｜」３２ａの上縁は貼着部位７ａと連結し、略「山」の字の両側の「｜」３１ａ，３３ａは貼着部位７ａと分離している。「｜」３２ａには上方に折り返し可能な左右方向に延びる弱め線４ａが設けられている。【選択図】図２
0003170218.tif 000002
【実用新案登録請求の範囲】
【請求項１】
上端に開口部を有する濾過性バッグ本体１と、バッグ本体１の上側表裏面に貼着された、該バッグ本体１の横幅よりも狭い横幅を持つ一対の略四辺形の支持シート２ａ及び２ｂとを具備する嗜好性飲料抽出用バックにおいて、
各支持シート２ａ及び２ｂは、バッグ本体１に貼着された貼着部位７ａ及び７ｂと、バッグ本体１の表裏面に貼着されずバッグ本体１から引き起こしうる略「山」の字状の係止部３ａ及び３ｂとを有し、略「山」の字の真ん中の「｜」３２ａ及び３２ｂの上縁は貼着部位７ａ及び７ｂと連結しており、略「山」の字の両側の「｜」３１ａ，３１ｂ，３３ａ及び３３ｂは貼着部位７ａ及び７ｂと分離しており、略「山」の字の真ん中の「｜」３２ａ及び３２ｂには上方に折り返し可能な左右方向に延びる弱め線４ａ及び４ｂが設けられていることを特徴とする嗜好性飲料抽出用バッグ。
【請求項２】
上端に開口部を有する濾過性バッグ本体１と、バッグ本体１の上側表裏面に貼着された、該バッグ本体１の横幅よりも狭い横幅を持つ一対の略四辺形の支持シート２ａ及び２ｂとを具備する嗜好性飲料抽出用バックにおいて、
各支持シート２ａ及び２ｂは、バッグ本体１に貼着された貼着部位７ａ及び７ｂと、バッグ本体１の表裏面に貼着されずバッグ本体１から引き起こしうる略「山」の字状の係止部３ａ及び３ｂを有し、略「山」の字の両側の「｜」３１ａ，３１ｂ，３３ａ及び３３ｂの上縁は貼着部位７ａ及び７ｂと連結しており、略「山」の字の真ん中の「｜」３２ａ及び３２ｂは貼着部位７ａ及び７ｂと分離しており、略「山」の字の両側の「｜」３１ａ，３１ｂ，３３ａ及び３３ｂには上方に折り返し可能な左右方向に延びる弱め線５ａ，５ｂ．６ａ及び６ｂが設けられていることを特徴とする嗜好性飲料抽出用バッグ。
【請求項３】
略「山」の字の真ん中の「｜」３２ａ及び３２ｂに下端部から上方に延びる切欠き９ａ及び９ｂが設けられている請求項１又は２記載の嗜好性飲料抽出用バッグ。
【考案の詳細な説明】
【技術分野】
【０００１】
本考案は、コーヒー、紅茶、煎茶、ウーロン茶又はその他の嗜好性飲料を抽出するために用いる嗜好性飲料抽出用バッグに関するものである。
【背景技術】
【０００２】
近年、コーヒー等の嗜好性飲料を、濾過性バッグを用いドリップ方式で入れて飲むことが多くなっている。濾過性バッグは、飲料を抽出するためにフィルターとして機能するバッグ本体と、抽出時バッグ本体をカップ上に安定した状態に保持する支持シートよりなるものが用いられてきている。かかる濾過性バッグは、上端に開口部を有する略四辺形の濾過性バッグ本体と、バッグ本体の上側表裏面に貼着された一対の支持シートとよりなるものが普及している。
【０００３】
支持シートは、一般的に、略四辺形となっており、その中に各種の切り込み線が設けられ、適宜の形状の係止部を引き起こせるようになっている。たとえば、特許文献１の図２には、略四辺形の支持シート１１ａ及び１１ｂから、カップ口縁の外側に係止する部位１２ａ及び１２ｂと、カップ口縁の内側に係止する部位１３ａ及び１３ｂとが引き起こされるようになっている（図１）。そして、引き起こした状態で、カップ口縁に係止して用いられている。
【０００４】
【特許文献１】特開２００７−４５４９０号公報（特に図２）
【考案の開示】
【考案が解決しようとする課題】
【０００５】
しかしながら、かかる濾過性バッグは、支持シートから引き起こした係止部位を、そのままカップ口縁に係止するため、バッグ本体がカップの上方に位置し、カップの中に十分に入り込まないということがあった。このため、いったんカップの中に入った抽出液は、バッグ本体を通して被抽出物と接触しにくく、抽出不良となることがあった。
【０００６】
本考案は、バッグ本体がカップの中に入り込みやすいようにして、いったんカップの中に入った抽出液も、ふたたびバッグ本体を通して被抽出物と接触するようにして、抽出不良となるのを防止することを課題とするものである。
【課題を解決するための手段】
【０００７】
本考案は、支持シートから引き起こした係止部位を、そのままカップ口縁に係止するのではなく、上方に反転させた後に係止することにより、上記した課題を解決したものである。なお、本件明細書において、「ａ」の符号はバッグ本体１の表面に対応し、「ｂ」の符号はバッグ本体１の裏面に対応するものであり、表裏面で一対となっていることを示している。また、本件図面において、濃くハッチングされた部分はバッグ本体１を示し、薄くハッチングされた部分は支持シート２ａ及び２ｂとバッグ本体１との貼着部位７ａ及び７ｂを示している。
【０００８】
本考案は、上端に開口部を有する濾過性バッグ本体１と、バッグ本体１の上側表裏面に貼着された、該バッグ本体１の横幅よりも狭い横幅を持つ一対の略四辺形の支持シート２ａ及び２ｂとを具備する嗜好性飲料抽出用バックにおいて、各支持シート２ａ及び２ｂは、バッグ本体１に貼着された貼着部位７ａ及び７ｂと、バッグ本体１の表裏面に貼着されずバッグ本体１から引き起こしうる略「山」の字状の係止部３ａ及び３ｂとを有し、略「山」の字の真ん中の「｜」３２ａ及び３２ｂの上縁は貼着部位７ａ及び７ｂと連結しており、略「山」の字の両側の「｜」３１ａ，３１ｂ，３３ａ及び３３ｂは貼着部位７ａ及び７ｂと分離しており、略「山」の字の真ん中の「｜」３２ａ及び３２ｂには上方に折り返し可能な左右方向に延びる弱め線４ａ及び４ｂが設けられていることを特徴とする嗜好性飲料抽出用バッグに関するものである（図２）。
【０００９】
この嗜好性飲料抽出用バッグを使用するとき、支持シート２ａ及び２ｂから、略「山」の字状の係止部３ａ及び３ｂを、バッグ本体１から引き起こす。この際、略「山」の字の真ん中の「｜」３２ａ及び３２ｂの上縁は貼着部位７ａ及び７ｂと連結しており、略「山」の字の両側の「｜」３１ａ，３１ｂ，３３ａ及び３３ｂは貼着部位７ａ及び７ｂと分離している（図３）。そして、引き起こした係止部３ａ及び３ｂを、弱め線４ａ及び４ｂを折り返し線として、上方に折り返す。そうすると、略「山」の字状の係止部３ａ及び３ｂは当初の状態から反転し、係止部３ａ及び３ｂの下端縁８ａ及び８ｂは、貼着部位７ａ及び７ｂよりも上方に位置することになる。そして、略「山」の字が逆になった状態で、カップの口縁が「山」の字の凹部に差し入れられる（図４）。略「山」の字の両側の「｜」３１ａ，３１ｂ，３３ａ及び３３ｂは貼着部位７ａ及び７ｂから分離しているので、自由に外側に引っ張り出すことができ、カップの口縁の外側に係止する。また、略「山」の字の真ん中の「｜」３２ａ及び３２ｂの上縁は、貼着部位７ａ及び７ｂと連結しているので、自由に外側に引っ張り出すことはできず、カップの口縁の内側に係止する。
【００１０】
また、本考案は、上端に開口部を有する濾過性バッグ本体１と、バッグ本体１の上側表裏面に貼着された、該バッグ本体１の横幅よりも狭い横幅を持つ一対の略四辺形の支持シート２ａ及び２ｂとを具備する嗜好性飲料抽出用バックにおいて、各支持シート２ａ及び２ｂは、バッグ本体１に貼着された貼着部位７ａ及び７ｂと、バッグ本体１の表裏面に貼着されずバッグ本体１から引き起こしうる略「山」の字状の係止部３ａ及び３ｂを有し、略「山」の字の両側の「｜」３１ａ，３１ｂ，３３ａ及び３３ｂの上縁は貼着部位７ａ及び７ｂと連結しており、略「山」の字の真ん中の「｜」３２ａ及び３２ｂは貼着部位７ａ及び７ｂと分離しており、略「山」の字の両側の「｜」３１ａ，３１ｂ，３３ａ及び３３ｂには上方に折り返し可能な左右方向に延びる弱め線５ａ，５ｂ．６ａ及び６ｂが設けられていることを特徴とする嗜好性飲料抽出用バッグに関するものである（図５）。
【００１１】
この嗜好性飲料抽出用バッグを使用するとき、支持シート２ａ及び２ｂから、略「山」の字状の係止部３ａ及び３ｂを、バッグ本体１から引き起こす。この際、略「山」の字の両側の「｜」３１ａ，３１ｂ，３３ａ及び３３ｂの上縁は貼着部位７ａ及び７ｂと連結しており、略「山」の字の真ん中の「｜」３２ａ及び３２ｂは貼着部位７ａ及び７ｂと分離している（図６）。そして、引き起こした係止部３ａ及び３ｂを、弱め線５ａ，５ｂ，６ａ及び６ｂを折り返し線として、上方に折り返す。そうすると、略「山」の字状の係止部３ａ及び３ｂは当初の状態から反転し、係止部３ａ及び３ｂの下端縁８ａ及び８ｂは、貼着部位７ａ及び７ｂよりも上方に位置することになる。そして、略「山」の字が逆になった状態で、カップの口縁が「山」の字の凹部に差し入れられる（図７）。略「山」の字の真ん中の「｜」３２ａ及び３２ｂは貼着部位７ａ及び７ｂから分離しているので、自由に外側に引っ張り出すことができ、カップの口縁の外側に係止する。また、略「山」の字の両側の「｜」３１ａ，３１ｂ，３３ａ及び３３ｂの上縁は、貼着部位７ａ及び７ｂと連結しているので、自由に外側に引っ張り出すことはできず、カップの口縁の内側に係止する。
【００１２】
また、本考案において、略「山」の字状の係止部３ａ及び３ｂの真ん中の「｜」３２ａ及び３２ｂに下端部から上方に延びる切欠き９ａ及び９ｂを設けてもよい（図８）。切欠き９ａ及び９ｂを設けておくと、係止部３ａ及び３ｂを反転させた後、カップの口縁の形状に応じて、略「山」の字の両側の「｜」３１ａ，３１ｂ，３３ａ及び３３ｂを左右方向に引き延ばすこともできるし、表裏方向に歪めることもでき、カップの口縁に係止しやすくなる。なお、バッグ本体１は、図に示すとおり、全体に略四辺形になっていてもよいし、バッグ本体１の下側はロート状に幅狭になっていてもよいが、いずれの場合も、バッグ本体１の上側は略四辺形の支持シート２ａ及び２ｂの幅よりも幅広となっている。
【考案の効果】
【００１３】
本考案に係る嗜好性飲料抽出用バッグを用いれば、略「山」の字状の係止部３ａ及び３ｂを反転させ、支持シート２ａ及び２ｂの貼着部位７ａ及び７ｂよりも上方に位置させた状態で、略「山」の字の凹部にカップ口縁を差し入れることになる。したがって、バッグ本体１は、カップの中に十分に入り込むことになる。よって、いったん抽出されたカップの中の抽出液もバッグ本体１を通して被抽出物と接触することになり、抽出が良好に促進され、抽出不良が少なくなり、抽出時間も短縮しうるという効果を奏する。
【図面の簡単な説明】
【００１４】
【図１】従来の嗜好性飲料抽出用バッグの使用状態を示した模式的斜視図である。
【図２】本考案の一例に係る嗜好性飲料抽出用バッグの表面図である。
【図３】図２の嗜好性飲料抽出用バッグの係止部３ａ及び３ｂを引き起こした状態を示した平面図である。
【図４】図２の嗜好性飲料抽出用バッグの使用状態を示した模式的斜視図である。
【図５】本考案の他の例に係る嗜好性飲料抽出用バッグの表面図である。
【図６】図６の嗜好性飲料抽出用バッグの係止部３ａ及び３ｂを引き起こした状態を示した平面図である。
【図７】図５の嗜好性飲料抽出用バッグの使用状態を示した模式的斜視図である。
【図８】本考案の他の例に係る嗜好性飲料抽出用バッグの表面図である。
【符号の説明】
【００１５】
１    濾過性バッグ本体
２ａ，２ｂ    支持シート
３ａ，３ｂ    係止部
４ａ，４ｂ    弱め線
５ａ，５ｂ，６ａ，６ｂ    弱め線
７ａ，７ｂ    貼着部位
８ａ，８ｂ    係止部の下端縁
９ａ，９ｂ    切欠き
３１ａ，３１ｂ，３３ａ，３３ｂ    係止部３ａ，３ｂを構成する略「山」の字の両側の「｜」
３２ａ，３２ｂ    係止部３ａ，３ｂを構成する略「山」の字の真ん中の「｜」
【図１】
0003170218.tif 000003
【図２】
0003170218.tif 000004
【図３】
0003170218.tif 000005
【図４】
0003170218.tif 000006
【図５】
0003170218.tif 000007
【図６】
0003170218.tif 000008
【図７】
0003170218.tif 000009
【図８】
0003170218.tif 000010